(57)【要約】コンテンツ素材が多様な透かし処理で保護される。プロテクトされたコンテンツ素材の異なるサブセットが、異なる透かし処理に従う。処理装置において、透かし検出装置が１つ以上の異なる透かしを検出するように構成される。処理装置が検出するように構成された特定の透かし（群）がプロテクトされたコンテンツ素材から取り除かれた場合にのみ、処理装置がプロテクトされた素材の処理を許可する。処理装置が検出するように構成された特定の透かし（群）が予測不可能である場合、又は特定の透かしによって保護された特定のセグメントが検出できない場合、透かし入りの素材からの特定の透かしを大規模に取り除くことは、効率的でなく、経済的に実行不可能である。
2005503621.tif 000002
【特許請求の範囲】
【請求項１】
各透かしシステムが異なる形式の透かしを提供するように構成された複数の透かしシステムと、
コンテンツ素材を受信し、そこから少なくとも２つの異なる形式の透かしを有する透かし入りのコンテンツ素材を提供するように構成された透かし選択装置とを有し、
前記透かし選択装置は、前記複数の透かしシステムのうちの第１の透かしシステムを介して透かしを入れる前記コンテンツ素材の第1のセグメントと、前記複数の透かしシステムのうちの第2の透かしシステムを介して透かしを入れる前記コンテンツ素材の第２のセグメントとを識別する透かしコード化システム。
【請求項２】
前記透かし選択装置がランダムな処理に基づいて前記第1と第2の透かしシステムの選択を実施するように構成された透かしコード化システム。
【請求項３】
請求項２に記載の透かしコード化システムであって、
前記ランダムな処理が１つ以上の選択透かしシステムを選択するように偏らせる透かしコード化システム。
【請求項４】
請求項１に記載の透かしコード化システムであって、
前記第1のセグメントのサイズが、ランダムな処理と前記第1の透かしシステムのうちの少なくとも１つに基づいて決定される透かしコード化システム。
【請求項５】
複数の処理装置を提供する複数の異なる透かし検出装置を提供し、
前記複数の処理装置のそれぞれにおいて１つ以上の前記複数の異なる透かし検出装置を選択的に配置することを有する処理装置の製造方法。
【請求項６】
請求項５に記載の方法であって、
前記複数の処理装置のそれぞれにおいて1つ以上の前記複数の異なる透かし検出装置を選択的に配置することが、ランダムな処理に基づく方法。
【請求項７】
請求項５に記載の方法であって、
前記処理装置が、次の媒体：
コンパクトディスクと、
デジタルビデオディスクと、
データプレイディスクと、
スーパーオーディオCDと、
フラッシュメモリと、
メモリスティックと、
SDカード
のうちの１つ以上に含まれる透かし入りのコンテンツ素材を処理するように構成される方法。
【請求項８】
透かし入りのコンテンツ素材を伝達する媒体であって、
第1の形式の透かしでコード化された前記透かし入りのコンテンツ素材のセグメントと、
他の形式の透かしでコード化された前記透かし入りのコンテンツ素材の少なくとも１つの他のセグメントとを有し、
前記他の形式の透かしが前記第1の形式の透かしと異なる媒体。
【請求項９】
請求項８に記載の媒体であって、
前記透かし入りのコンテンツ素材の前記セグメントのサイズが、ランダムな処理と前記第1の形式の透かしのうちの少なくとも１つに基づく媒体。
【請求項１０】
請求項８に記載の媒体であって、
コンパクトディスクと、
デジタルビデオディスクと、
データプレイディスクと、
スーパーオーディオCDと、
フラッシュメモリと、
メモリスティックと、
SDカード
のうちの少なくとも１つを有する媒体。
【請求項１１】
請求項８に記載の媒体であって、
コンピュータファイルを有する媒体。
【請求項１２】
コンテンツ素材に透かしを入れる方法であって、
前記コンテンツ素材のセグメントを識別し、
第1の透かし処理を介して前記コンテンツ素材の前記セグメントをコード化し、第1の透かし入りのセグメントを形成し、
前記コンテンツ素材の他のセグメントを識別し、
前記第1の透かし処理と異なる第2の透かし処理を介して前記コンテンツ素材の前記他のセグメントをコード化し、第2の透かし入りのセグメントを形成し、
少なくとも前記第1の透かしセグメントと前記第2の透かしセグメントを結合し、複数の透かし入りのコンテンツ素材を形成することを有する方法。
【請求項１３】
請求項１２に記載の方法であって、
複数の透かし処理から前記第1の透かし処理と前記第2の透かし処理のうちの少なくとも1つをランダムに選択することを更に有する方法。
【請求項１４】
請求項１２に記載の方法であって、
前記セグメントを識別することが、前記セグメントのサイズを識別することを有する方法。
【請求項１５】
請求項１４に記載の方法であって、
前記セグメントの前記サイズを識別することが、ランダムな処理と前記第1の透かし処理のうちの少なくとも１つに基づく方法。
【請求項１６】
第1の形式の透かしを検出するように構成された第1の検出装置と、
少なくとも１つの他の形式の透かしを検出するように構成された少なくとも１つの他の検出装置と
を有する透かし検出装置。
【請求項１７】
請求項１６に記載の透かし検出装置であって、
透かし入りのコンテンツ素材に関連付けられた透かしを検出するために、前記第1の検出装置と少なくとも１つの他の検出装置のうちの１つを選択するように構成された検出選択装置を更に有する透かし検出装置。
【請求項１８】
請求項１７に記載の透かし検出装置であって、
前記検出選択装置が、ランダムな処理を介して前記第１の検出装置と少なくとも１つの他の検出装置のうちの１つを選択するように構成される透かし検出装置。
【請求項１９】
透かし入りのコンテンツ素材の処理を制御するように構成された製品の製造方法であって、
複数の透かし検出装置からランダムに透かし検出装置を選択し、
前記選択された透かし検出装置によって透かしが入れられたコンテンツ素材の透かしの検出に基づいて、前記選択された透かし検出装置が前記透かし入りのコンテンツ素材の処理を制御するように構成されることを有する方法。
【請求項２０】
請求項１９に記載の方法であって、
前記製品が、CDプレイヤと、DVDプレイヤと、メモリ装置プレイヤと、データプレイ・プレイヤとのうちの少なくとも１つを有する方法。
【発明の詳細な説明】
【０００１】
１．技術分野
本発明はセキュリティの分野に関するものであり、特に透かしを介したコンテンツ素材の保護に関するものである。
【０００２】
２．背景技術の説明
透かしはますますコンテンツ素材をプロテクトする普及した技術になってきている。透かし処理は、コンテンツ素材の従来の処理の間に感知できないように構成されたコンテンツ素材に、消すことのできない印を埋め込む。例えば、従来のオーディオ再生装置を介して処理されるときに追加された素材が空間的にマスクされるような方法で音声の記録に素材を追加することによって、音声の記録が透かしと共に埋め込まれる。
【０００３】
コンテンツ素材に適用される透かしは、処理装置が常に透かし入りの素材を検出できるようにコンテンツ素材から動かせないように定められる。このように、処理装置は、ユーザが透かし入りの素材を処理する許可されるいくつかの証拠なしで透かし入りの素材を処理することを拒否するように構成される。例えば、2001年3月27日に発行されたJohan  P.M.G  Linnartz他による米国特許第6,209,092号“コンテンツ情報とそれに関する補足情報を転送する方法及びシステム（METHOD  AND  SYSTEM  FOR  TRANSFERRING  CONTENT  INFORMATION  AND  SUPPLEMENTAL  INFORMATION  RELATED  THERETO）”は、プロテクトされた素材が処理され得る回数を制御する“チケット”の使用を介して著作権のある素材のプロテクトのための技術を提示し、それは参照として取り込まれる。処理装置が透かしの存在を検出すると、この処理が限られた回数の許可された処理を超えるかどうかを判断するためにチケットが検査される。例示的な実施例において、チケットは透かしを形成する。
【０００４】
透かしは、好ましくは透かし入りの素材から動かせないように構成される。効果的な透かし入りの物において、透かし入りの物に実質的な破損を導くことなく、透かしを取り除くことができない。透かしによってプロテクトされた音声の記録の例において、透かしを取り除く試みは、一般的に以前に透かしが入れられた素材の再生に対して聞くことができる歪みを導く。
【０００５】
透かしが更に普及すると、プロテクトされた素材に対して最小限の破損で透かしを取り除く試みもまた普及するであろう。インターネットによって提供される通信と配布の容易さで、ハッカーが特定の透かしを克服する方法を割り出すと、その透かしを取り除く処理が広く利用可能になり、それによって透かしによって提供されたプロテクトを回避されることが予想され得る。ある透かし処理における“標準化”の現在の試みが成功し、この標準透かしを取り除く処理が発見されると、前記の問題は特に衝撃的である。
［発明の要約］
透かし入りの素材に実質的な破損をもたらすことなく、透かしを取り除く処理の発見があった場合に、透かし入りのコンテンツ素材をプロテクトすることが本発明の目的である。透かしを取り除くアルゴリズムの発見にもかかわらず、頑強な透かし処理を提供することも本発明の更なる目的である。
【０００６】
前記の目的とその他の目的は、多様な透かし処理を備えたコンテンツ素材をプロテクトすることによって達成される。異なる部分のプロテクトされたコンテンツ素材が異なる透かし処理に従う。処理装置において、透かし検出器は、１つ以上の異なる透かしを検出するように構成される。処理装置が検出するように構成された特定の透かし（群）がプロテクトされたコンテンツ素材から取り除かれた場合にのみ、処理装置がプロテクトされた素材の処理を許可する。処理装置が検出するように構成された特定の透かし（群）が予測不可能である場合、又は特定の透かしによって保護された特定のセグメントが検出できない場合、透かし入りの素材からの特定の透かしを大規模に取り除くことは、効率的でなく、経済的に実行不可能である。
［発明の詳細な説明］
本発明は、例証として添付の図面を参照して更に詳細に説明される。
【０００７】
図面を通じて、同じ参照番号は類似の又は対応する機構又は機能を示す。
【０００８】
本発明は、透かしを取り除く試みに対して真に弱みのない透かしシステムがないという認識に基づいている。可能性のある収益、又はコンテンツ素材の違法提供者の提供者に利用可能な他の利点に対して、透かしのようなコピープロテクトの仕組みを避けるために実質的なリソースが適用されていることが合理的に予想できる。参照を容易にするために、以下において、透かしの除去という言葉が、透かしを検出することを目的とする検出器によって検出された透かしを妨げる処理を示すために用いられる。何らかの透かしの除去がコンテンツ素材にいくつかの損傷を導くことが予想され得る。一般的に、成功した透かしの除去は、除去処理の間にコンテンツ情報に実質的な損傷を与えないものとして特徴付けられる。
【０００９】
本発明は、成功した一般的な透かし除去処理が見つかられる可能性が低く、それぞれの成功した透かし除去処理が特定の透かし処理を対象とするという観察に更に基づく。前記の透かしに特定した透かし除去処理は、他の透かし処理によって生じた透かしを一般的に取り除かない、及び／又は他の透かし検出処理による検出を回避しない。
【００１０】
2001年6月26日に発行されたJohan  P.M.G  Linnartzによる米国特許第6,252,972号“透かしが埋め込まれた情報信号の統計上の特性を用いて透かしを検出する方法及び構成（METHOD  AND  ARRANGEMENT  FOR  DETECTING  A  WATERMARK  USING  STATISTICAL  CHARACTERISTICS  OF  THE  INFORMATION  SIGNAL  IN  WHICH  THE  WATERMARK  IS  EMBEDDED）”は、参照として取り込まれ、コンテンツ素材の各要素に+1と-1の特定のバイナリパターンが加えられるコード化処理を教示する。検出器で同じバイナリパターンが受信入力信号に適用され、受信入力が前記パターンを含むことを決定するために十分な関連性が存在するかどうかを判断する。2001年3月27日に発行されたIngemar  J.Cox他による米国特許第6,208,735号“マルチメディアデータのための透かし（WATERMARKING  FOR  MULTIMEDIA  DATA）”は、参照として取り込まれ、透かしのスペクトラム拡散コード化がコンテンツ素材に適用される透かし技術を教示し、スペクトラム拡散情報がコンテンツ素材の有意な周波数構成要素を特に対象とする。2001年6月20日に発行されたScott  A.Moskowitz他による米国特許第6,078,664号“デジタル透かしのZ変換の実現（Z-TRANSFORM  IMPLEMENTATION  OF  DIGITAL  WATERMARKS）”は、参照として取り込まれ、コンテンツ素材の“非決定論的な”構成要素の位置を判断するコンテンツ素材のZ変換の使用を教示する。
【００１１】
透かしの除去の一般的な技術は、透かしを特に対象にするノイズの追加である。例えば、’972の特許の透かし処理された出力における各要素への+1と-1のランダムな追加は、相関性の判断に悪影響を与える可能性がある。しかし、前記のランダムな追加は、’735と’664の特許の特定の周波数構成要素に加えられた透かしの検出におそらく影響を与えない。同様に、コンテンツ素材の有意な周波数構成要素を対象とし、’635の特許により生じた透かしを取り除く透かし除去処理は、’972の特許の相関性の判断におそらく影響を与えず、’664の特許によって異なる構成要素に配置された透かしの検出にもおそらく影響を与えない。
【００１２】
透かし除去のために提案された技術のそれぞれは、特定の形式の透かしを取り除くことを目的としてノイズ又は他の解除情報を追加することによって、コンテンツ素材に悪影響を与える。’972の特許の例において、透かし処理は、コンテンツ素材にいくつかの歪みを与えるが、典型的なユーザにより認知できることより下のレベルである。追加されたランダムなノイズは、透かしを消すことを目的とするが、認知できるレベルまで歪みのレベルをもたらす場合がある。透かし処理されたコンテンツ素材に複数の透かし除去処理を適用する累積の効果がコンテンツ素材の十分な歪みを生じ、複数を対象とした透かし除去処理の実行可能性を否定することを仮定する。
【００１３】
図１は透かしコード化システム１２０の一例のブロック図を示したものである。本発明に従って、透かしコード化システム１２０は、多様な異なる透かしシステムWM1  １２１、WM2  １２２、．．．WM  M  １２９を有する。前記透かしシステムのそれぞれは、コンテンツ素材１１０に透かしを適用する異なる技術を使用する。
【００１４】
前述の参照特許に加えて、1999年8月3日に発行されたJohan  P.M.G  Linnartzによる米国特許5,933,798号“情報信号に埋め込まれた透かしの検出（DETECTING  A  WATERMARK  EMBEDDED  IN  AN  INFORMATION  SIGNAL）”と、1999年3月30日に発行されたScott  A.Moskowitz他による米国特許5,889,868号“デジタル化されたデータにおけるデジタル透かしの挿入と保護と検出のための最適化方法（OPTIMIZATION  METHODS  FOR  THE  INSERTION,  PROTECTION,  AND  DETECTION  OF  DIGITAL  WATERMARKS  IN  DIGITIZED  DATA）”と、2000年9月29日に発行されたGeoffrey  B.Rhoadsによる米国特許“画像と映像と音声データにおける複数ビットを隠す信号処理（SIGNAL  PROCESSING  TO  HIDE  PLURAL-BIT  INFORMATION  IN  IMAGE,  VIDEO,  AND  AUDIO  DATA）”が、異なる透かし処理の例に挙げられ、それぞれ参照として取り込まれる。他の透かし処理がその技術において知られている。
【００１５】
好ましい実施例において、透かし選択装置１３０は、特定の透かしシステム１２１−１２９をランダムに選択し、入力コンテンツ情報１１０の各セグメント１１０，１１１等に適用するように構成される。本発明の目的のため、容易に予測できない選択を提供する処理を示すためにランダムという言葉が使われる。各セグメントのサイズは一定又は可変であり、コンテンツ素材の論理区分に対応する場合がある。例えば、各セグメントは、オーディオCDの各曲又はビデオDVDの各フレームに対応する場合がある。その他、セグメントは、CD又はDVDのトラック／セクタ構造のような、透かし素材１６０を含むことを目的とする媒体の物理構造に関係する場合がある。同様に、セグメントのサイズは、そのセグメントをコード化するために選択された特定の透かしシステムに依存する場合がある。例えば、周波数構成要素に基づく透かしシステムは、処理の周波数分析部分を実行するためにコンテンツ素材の最小のサイズのセグメントを一般的に必要とする。同様に、パターン合致の相関性検出システムは、信頼性できる相関性の検出を実施するために透かし入りの素材の最小のサイズのセグメントを必要とする。本発明の好ましい実施例において、セグメントのサイズもまた、ランダムに決定され、存在する場合は前述の最小のサイズの要件に従う。
【００１６】
コンテンツ素材１１０の各セグメント１１１、１１２等は、選択された透かし処理によって透かしを入れられ、出力の透かし入りコンテンツ素材１５０に透かし入りのセグメント１５１、１５２等として加えられる。図1に示すように、前記の透かし入りの素材１５０は、複数のセグメント１５１、１５２等を有し、そのそれぞれが、それぞれ異なる方法WM6、WM1等で透かしが入れられ得る。
【００１７】
コンテンツ素材１５０が複数の透かしを有するため、違法の透かし除去は、特定の透かし除去処理の複数のアプリケーション、又は透かし入りの素材のセグメントを選択する特定の透かし除去処理の対象とするアプリケーションのいずれかを必要とする。前述の通り、複数の透かし除去処理のアプリケーションは、それぞれの除去処理によって導かれる累積の歪みのために、結果として生じる素材を本来の目的に使用できないように処理することが予想され得る。他方、特定の透かし除去処理の対象とするアプリケーションは、どの透かしが各セグメントに適用されたかの知識を必要とする。好ましい実施例において、前述の通り、適用する各透かし処理の選択はランダムであり、対象とする除去を更に阻止するために、各透かし入りのセグメントのサイズもまたランダムに決定される。従って、本発明の原理に従って、コンテンツ素材１５０は、違法の透かしの除去の試みに対して特に頑強な解決策を提供する。
【００１８】
更に、コンテンツ素材１５０は、コピープロテクトの実施と、他のセキュリティの仕組みを許可するのに十分に頑強である。コピープロテクトの仕組みに適合する典型的な処理装置は、透かし入りの素材を処理し、透かしの存在を判断するように構成される。前記の処理装置は、透かしが検出されるとすぐにコンテンツ素材へのアクセスを不可能にする。典型的な透かし検出処理は、透かしの検出を実施するために特定の最小量の透かし入りの素材を必要とするが、全てのコンテンツ素材が透かしを含むものとして確認される必要がないことに留意すべきである。すなわち、例えばCDプレイヤ又はレコーダが一例の透かし処理WM1（図1の１２１）を検出するように構成されている場合、透かし入りの素材１５０のセグメントＢ１５２が処理されるときにCDプレイヤ又はレコーダはWM1を検出し、この透かし入りの素材へのアクセスの適切な許可がない場合に、透かし入りの素材１５０の何らかの更なるセグメントの処理／記録を終了する。前記CDプレイヤ又はレコーダは、プロテクトされた素材へのアクセスを不可能にするために透かし入りの素材の全セグメントがWM1の透かしで透かしを入れられることを必要とせず、それ故に他のセグメントが異なる透かしでコード化され得る。
【００１９】
明らかに、特定の透かしの検出の可能性は、検出装置が処理しているセグメントをコード化するコード化処理によって特定の透かしが選択される可能性に依存する。本発明の好ましい実施例において、透かしの検出形式の予想された分配が、コード化された透かし処理を選択するために用いられるランダムな処理を偏らせるために用いられる。すなわち、大部分のメディアプレイヤが前記透かし検出装置の少なくとも１つを有するように、２つ又は３つの透かし処理が顕著になった場合、好ましいエンコーダのランダムな処理は、コンテンツ素材の実質的な部分が前記の普及した透かし処理を用いてコード化されることを確実にする。
【００２０】
本発明の複数透かし処理がレコード業界を通じて“標準的な”透かし処理に到達する必要性を軽減し、前記の標準的な透かし処理の結果として生じる‘クラッキング’から業界を保護することを示すことは有意義である。本発明に従って、コンパクトディスク（CD-RとCD-RWディスクを含む）や、デジタルビデオディスク（DVDオーディオディスクを含む）や、データプレイディスクや、スーパーオーディオCDや、フラッシュメモリや、メモリスティックや、SDカードのような透かし入りの製品における複数の透かしの使用によって提供される追加されたセキュリティのための共通標準にとって、複数の透かし処理が好ましい。更なるセキュリティ対策として、処理装置の製造業者は、例えば異なる透かし検出装置の間からランダムな選択を用いて異なる製品で異なる透かし検出装置を配置し得る。それによって、特定の透かしを克服する試みを更に阻止し得る。複数の検出装置を備えたものに比べて処理装置の固有のコストを減少させることに加えて、この方法はまた、各製品の透かし検出システムの提供者に支払われる特許使用料の支払いの数を減少させることによって処理装置のコストを減少させる。
【００２１】
図２は、本発明の更なる形態を示したものであり、処理装置２２０は、複数の透かし検出装置２２１−２２９を含むように構成される。一般的に、処理装置２２０は消費者製品であるため、おそらくコストの検討は、図１のコード化装置１２０における透かしエンコーダ１２１−１２９より更に少ない処理装置２２０の透かし検出装置２２１−２２９を念頭に入れる。しかし、処理装置２２０で２つの異なる検出装置２２１−２２９を単に提供することは、それぞれの透かしに対応する透かしの除去が違法にコピーされた素材に適用される必要があるため、複数の透かし入りのコンテンツ素材１５０によって提供されたセキュリティを実質的に高める。それぞれの形式の検出を実行するために必要なリソースに応じて、複数の検出装置２２１−２２９が平行して動作するように構成される場合がある、又はコンテンツ素材又はコンテンツ素材の一部を分析するために検出選択装置２３０を介して１つの検出装置がランダムに選択される場合がある。
【００２２】
他の実施例において、複数の検出装置２２１−２２９は処理装置２２０に備わっている必要がないことに留意すべきである。検出装置２２１−２２９が共通の基礎をなす技術を共有している場合、特定の検出装置は、インターネットサイトのような検出装置の情報源からダウンロード可能なソフトウェア処理である場合がある。前記の実施例において、処理装置２２０がインターネットへのアクセスを提供される毎に、ダウンロードする互換性のある透かし検出の仕組み２２１−２２９をランダムに選択する。
【００２３】
前述は、単に本発明の原理を示したものにすぎない。その技術に熟練した人は、本発明の原理を具体化する多様な構成を発明することができ、それはここに明白に説明されていない又は示されていないが、特許請求の範囲の意図及び範囲内であることがわかる。
【図面の簡単な説明】
【００２４】
【図１】本発明による透かしコード化システムの一例のブロック図を示したものである。
【図２】本発明による透かし検出システムの一例のブロック図を示したものである。
【図１】
2005503621.tif 000003
【図２】
2005503621.tif 000004
【国際公開パンフレット】
2005503621.tif 000005
2005503621.tif 000006
2005503621.tif 000007
2005503621.tif 000008
2005503621.tif 000009
2005503621.tif 000010
2005503621.tif 000011
2005503621.tif 000012
2005503621.tif 000013
2005503621.tif 000014
2005503621.tif 000015
2005503621.tif 000016
2005503621.tif 000017
【国際調査報告】
2005503621.tif 000018
2005503621.tif 000019
2005503621.tif 000020
2005503621.tif 000021